(57)【要約】【課題】発熱体を熱源とする床用暖房装置の発熱体から発生する人体に対して有害で危険な低周波の電磁波、特に電界を減衰・遮蔽させた床用暖房装置及びそれを設けた暖房床を提供すること。【解決手段】発熱体を有するヒート層と、この層の上面に設けられた、好ましくはアースをとった炭層とを有してなる、フローリング用、カーペット類用、畳用等の床用暖房装置。炭層は炭粉末及びポリマーを含有した組成物層であることが好ましい。前記床用暖房装置は、その上に床を敷き、床暖房、暖房フローリング、ホットカーペット類、暖房畳等の暖房床に応用される。さらに、ヒート層にホットカーペット本体を用いれば、床の上に敷いて床用暖房装置とすることができる。【選択図】  なし【特許請求の範囲】
【請求項１】
発熱体を有するヒート層と、この層の上面に設けられた炭層とを有してなる床用暖房装置。
【請求項２】
炭層が、炭粉末及びポリマーを含有した組成物層である請求項１記載の床用暖房装置。
【請求項３】
ポリマーが、少なくとも、水不溶性アクリル系ポリマー、水不溶性酢酸ビニル系ポリマー及びアルコール又は水可溶性ポリアミド樹脂からなる群から選ばれた１種又は２種以上のポリマーを含むことを特徴とする請求項２記載の床用暖房装置。
【請求項４】
炭層が、シート状の炭層である請求項１乃至３のいずれか一項に記載の床用暖房装置。
【請求項５】
炭層がアースされていることを特徴とする請求項１乃至４のいずれか一項に記載の床用暖房装置。
【請求項６】
床の下に敷いて用いられる床用暖房装置である請求項１乃至５のいずれか一項に記載の床用暖房装置。
【請求項７】
床が、フロアー、フローリング、カーペット、クッションフロアー、コルクタイル、石板又は畳のいずれかである請求項１乃至６のいずれか一項に記載の床用暖房装置。
【請求項８】
請求項１乃至５のいずれか一項に記載の床用暖房装置及びその上に敷いた床を設けた暖房床。
【請求項９】
床が、フロアー、フローリング、カーペット、クッションフロアー、コルクタイル、石板又は畳のいずれかである請求項８記載の暖房床。
【請求項１０】
ヒート層がホットカーペット本体であり、床の上に敷いて用いられる請求項１乃至５のいずれか一項に記載の床用暖房装置。
【請求項１１】
請求項４記載のシート状の炭層からなる、床用暖房装置用炭層。
【発明の詳細な説明】
【０００１】
【発明の属する技術分野】
本発明は、住宅等の床暖房用の発熱体を有した暖房装置及びそれを設けた暖房床に関する。さらに詳しくは、発熱体から発生する人体に有害で危険な低周波の電磁波、特に電界を減衰・遮蔽する床用暖房装置及びそれを設けた暖房床に関する。
【０００２】
【従来の技術】
従来、住宅等の床暖房として、発熱用電線等の熱源を用いた発熱体による床暖房方法が知られている。
【０００３】
しかしながら、発熱体を用いた床暖房においては、通常、周波数５０Ｈｚまたは６０Ｈｚの電源からの電力により発熱用電線等を稼働させて暖房を行っているが、前記電線等の熱源からは人体に対して有害な低周波の電磁波が発生しており、人はその上で、座り、寝ころがり、子供を寝かせ、生活している。
【０００４】
特に、床暖房は長時間使用することと、床面の上には絶えず身体を密着させていることから、床用暖房装置の発熱体から放射される人体に有害な電磁波は極力抑えることが望ましいことである。
【０００５】
従来、床用暖房装置の発熱体から放射される電磁波を遮蔽するために、発熱体構造を工夫したり、電磁波を遮蔽する部材を工夫したりしている技術開示が見られるが未だ充分な技術は得られていない。本発明に関連する技術としては、例えば、発熱用電線の稼働に由来するテレビやパソコンの画面のチラツキ問題が解決された床用暖房装置を提供することを目的とした、稼働中の発熱用電線から生起する電磁波を遮蔽するために、商用電源にて生起する電磁波を遮蔽し得る材料、例えばパーマロイにて形成された電磁波遮蔽板を有することを特徴とする床暖房パネルなどの床用暖房装置に関する技術開示がある。しかしながら、本発明に係る炭層を構成要件とする技術開示はなく、示唆する記載もない（特許文献１参照）。
【０００６】
また、床用暖房装置の発熱体から放射される電磁波を遮蔽する技術ではないが、炭を活用した技術としては、建築物の床面側から表側にかけて、多数の貫通穴を開けてなる穴開きシ−ト、木炭粉末をシ−ト状に成形した木炭シ−ト及びフロ−リング基材を有してなる木炭シ−ト入りフロ−リング材の開示ががあり、フローリング上設置されたコンピュータ、テレビなどから出ている電磁波を遮断することが記載されている（特許文献２参照）。
【０００７】
さらに、携帯電話やパソコンなど各種の電子機器から発生する電磁波を遮断する電磁波遮蔽材に関するものとして、木炭の微粉末を予め上下の不織布に圧着挾持して形成した炭素シートを熱融着性絶縁フィルムを介してアルミニウム箔などの金属シートに積層し、これらを加熱加圧することによって一体的に接着してなる電磁波遮蔽材に関する技術開示がある（特許文献３参照）。
【０００８】
さらに、無溶剤型高分子樹脂塗料、無溶剤型接着剤、又は熱可塑性樹脂からなる樹脂結合材に、木炭粉を内分配合し、硬化させて電磁波吸収性樹脂組成物を得、これを板状成形（賦型化）し、又は基材表面に被覆形成（成膜）して電磁波吸収性の壁面用等の建材とする技術開示がある（特許文献４参照）。
【０００９】
これらの上記炭を活用した技術は、いずれも、床用暖房装置の発熱体から発生する人体に有害な低周波の電磁波、特に電界を減衰・遮蔽し、人体に有益な遠赤外線、特に生育光線を出す床用暖房装置及びそれを設けた暖房床に関する技術ではなく、これらについて示唆する記載もない。
【００１０】
【特許文献１】
特開平１１−３７４８５号公報
【特許文献２】
特開２０００−１４４９４９号公報
【特許文献３】
特開平１１−４０９８２号公報
【特許文献４】
特開２００２−９４２８４号公報
【００１１】
【発明が解決しようとする課題】
本発明は上記事情に鑑みてなされたもので、その目的は、発熱体を熱源とする床用暖房装置の発熱体から発生する人体に対して有害で危険な低周波の電磁波、特に電界を減衰・遮蔽させた床用暖房装置及びそれを設けた暖房床を提供することにある。
【００１２】
【課題を解決するための手段】
本発明者らは上記課題を解決するために鋭意研究を行った結果、床用の暖房装置の発熱体と人体の間に炭層を設けることにより上記課題が解決されることを見出し、本発明を完成するに至った。
【００１３】
すなわち、本発明は、発熱体を有するヒート層と、この層の上面に設けられた炭層とを有してなる床用暖房装置である。さらに、前記床用暖房装置及びその上に敷いた床を設けた暖房床である。なお、床とは、建物内で生活するに当たって歩行したり、立ったり、座ったり、寝転んだりするための面をいい、例えば、フロアー、フローリング、カーペット、クッションフロアー、コルクタイル、石板、畳等が好ましい例として挙げられる。
【００１４】
本発明における床用暖房装置は、床の下に敷いて床を暖房する床用として用いることが好ましく、床としては、前記同様、フロアー、フローリング、カーペット、クッションフロアー、コルクタイル、石板又は畳のいずれかであることが効果を発揮する上で好ましい。
【００１５】
前記炭層は、炭粉末及びポリマーを含有した組成物層であることが好ましく、該ポリマーとしては、少なくとも、水不溶性アクリル系ポリマー、水不溶性酢酸ビニル系ポリマー及びアルコール又は水可溶性ポリアミド樹脂からなる群から選ばれた１種又は２種以上のポリマーを含むことが好ましい。
【００１６】
また、前記炭層は、シート状の炭層であることができる。
【００１７】
また、前記炭層は、アースされていることが好ましく、それにより低周波の電磁波、特に電界を効率よく減衰・遮蔽することができる。
【００１８】
なお、本発明の床用暖房装置は、ヒート層としてホットカーペット本体を用い、床の上に敷いて用いられる床用暖房装置であることができる。
【００１９】
さらに、本発明は、前記シート状の炭層からなる床用暖房装置用の炭層である。
【００２０】
【発明の実施の形態】
以下、本発明の実施形態について、図１に基づいて詳述する。
【００２１】
図１は本発明の床用暖房装置及びそれを設けた暖房床の一実施例の一部破断斜視図である。
【００２２】
図１において、１はヒート層（発熱フィルム）、２は発熱体、３は絶縁体、４は炭層、５は下地床張、６は床（フロアー）、７はアースである。
【００２３】
図１に示す実施例においては、下地床張５の上面側に設置された、発熱体２及びそれを被覆する絶縁体３を有する発熱フィルムからなるヒート層１と、このヒート層（発熱フィルム）１の上面、すなわち前記下地床張５とは反対面側に設けられた炭層４とを有しており、前記炭層４の上面側は床６により覆われている。
そして、炭層４にはアース７がとられている。
【００２４】
ヒート層１は、発熱体を有する層であり、その形態は特に限定されないが、例えば、図１に示したように、発熱体２の周面を絶縁体３の層で覆った、従来から公知の発熱フィルム等が用いられる。
【００２５】
前記発熱体２としては、例えば、カーボン等からなる面状の発熱体、銅合金（銅・ニッケル合金等）、ニッケル合金（銅・ニッケル合金、ニッケル・クロム合金等）、アルミ合金等のような高電気抵抗を有する所謂電熱線と通称されているような線状の発熱体等が挙げられる。発熱体２には、その両側に電極を設けてある。
【００２６】
また、前記絶縁体３としては、ブチルゴム、エチレン・プロピレン・ジエンゴム、架橋ポリエチレン等が挙げられる。なお、ヒート層１の具体例としては、ホットカーペットの本体部等が挙げられる。ヒート層１は、前記発熱体２に電気を通すことによって発熱される。
【００２７】
炭層４は、炭粉末を含有する層であり、前記ヒート層１の上面に設置される。
本発明において炭層４を構成する炭は、既知の物質であり、特に限定されるものではないが、例えば、植物、一般家庭や企業からでる食品、紙類等の燃えるゴミ等を空気を遮断して、加熱・乾留する一般の方法で得られる炭を用いることができる。前記植物としては、カシ，ナラ，クヌギ，赤松，ゴムの木，マングローブ等の木、ヤシ，椿油のしぼり粕（殻）等の実、竹、わら等が挙げられるが、これらに限定されるものではない。
【００２８】
炭は製造方法（焼成温度）の相違により白炭及び黒炭等に大別される。白炭は、１０００℃以上の高温で焼き、窯から掻き出した炭に適量の水に灰と土を混合した「スバイ」をかけて急冷することにより製造したものである。白炭の代表としてウバメガシ（姥目樫）や竹等から得られる備長炭がある。一方、黒炭はナラ、クヌギ、赤松、竹等を４００〜７００℃で焼き、自然に冷却して窯から取り出したものである。本発明においては、白炭を用いることが好ましい。
【００２９】
本発明における炭粉末は、炭が粉末化されたものであり、その製造は特に限定されないが、一般的には、炭を粉砕等により粉末化したものが用いられる。
【００３０】
炭粉末の粒子径はメディアン径で２〜３００μｍのものが好ましく、さらに好ましくは３０〜１００μｍのものである。以下において、粒子径は特に断りのない限り全てメディアン径である。
【００３１】
本発明の炭層は、前記炭粉末及びポリマーを含有した組成物からなる層であることが好ましい。ポリマーとしては、特に限定されないが、水、エタノール等の揮発性溶媒に分散又は溶解させた後に、該揮発性溶媒を揮散させたときに、皮膜を形成する、いわゆる皮膜形成性のポリマーであることが好ましい。さらに、前記ポリマーは、少なくとも、アクリル系ポリマー、酢酸ビニル系ポリマー及びポリアミド樹脂からなる群から選ばれた１種又は２種以上のポリマーを含むことが好ましい。特に、少なくとも、水不溶性のアクリル系ポリマー、水不溶性の酢酸ビニル系ポリマー及びアルコール又は水可溶性のポリアミド樹脂からなる群から選ばれた１種又は２種以上のポリマー（以下、特定ポリマーともいう。）を含むことが好ましい。前記特定ポリマーは、ポリマー全量中５０質量％以上含まれることが好ましく、さらに好ましくは６０質量％以上である。また、前記特定ポリマーは、ポリマー中の全てを占めても構わない。本発明においては、炭層に前記ポリマー、特に前記特定ポリマーが含まれると、炭層の対象物への付着性が優れたものとなり、また炭粉末との組合せにより、炭層によって発揮される本発明の効果をさらに向上させることができる。
【００３２】
前記アクリル系ポリマーとしては、例えばアクリル酸エステル、メタクリル酸エステル等のアクリル酸エステル系モノマーを少なくとも含む重合物（ポリマー）が好適な例として挙げられる。なお、前記アクリル酸エステル系モノマー中のアクリル酸エステルとしては、アクリル酸メチル、アクリル酸エチル、アクリル酸ブチル、アクリル酸ヘキシル、アクリル酸オクチル、アクリル酸２−エチルヘキシル等が挙げられ、メタクリル酸エステルとしては、メタクリル酸メチル、メタクリル酸エチル、メタクリル酸ブチル、メタクリル酸ヘキシル、メタクリル酸オクチル、メタクリル酸２−エチルヘキシル等が挙げられる。これらの１種または２種以上が組合されて用いられる。
【００３３】
例えば、アクリル酸エステル系モノマーを少なくとも含む重合物、すなわちアクリル系ポリマーとしては、前記アクリル酸エステル系モノマーからなるポリマーでも、他モノマーとのコポリマーでも構わない。前記他モマーとしては、共重合できるモノマーであれば特に限定されないが、アクリル酸、メタクリル酸、酢酸ビニル、スチレン、エチレン、プロピレン等のオレフィン等が挙げられる。前記アクリル系ポリマーの中では、アクリル酸エステル及び／又はメタクリル酸エステルを主成分とするポリマーが好ましい。特に、アクリル酸エチル及び／又はメタクリル酸エチルを主成分とするポリマーが好ましい。なお、前記アクリル系ポリマーは、いずれも前述のように水不溶性のものから選ばれることが好ましい。
【００３４】
また、酢酸ビニル系ポリマーとしては、酢酸ビニルのホモポリマーでも、他モノマーとのコポリマーでも構わない。前記他モマーとしては、共重合できるモノマーであれば特に限定されないが、前記アクリル酸エステル系モノマー、アクリル酸、メタクリル酸、スチレン、エチレン、プロピレン等のオレフィン等が挙げられる。酢酸ビニル系ポリマーの中では、特に酢酸ビニルホモポリマーが好ましい。なお、前記酢酸ビニル系ポリマーは、いずれも前述のように水不溶性のものから選ばれることが好ましい。
【００３５】
本発明におけるポリアミド樹脂は、二塩基酸とジアミンの重縮合物、ω−アミノ酸の重縮合物、カプロラクタムの重合物のいずれでも構わない。具体的には、６，６−ナイロン、６，１０−ナイロン、６−ナイロン、１２−ナイロン等が挙げられる。本発明にいてはポリアミド樹脂が、結晶性を弱めた非晶性でアルコールに溶解するものが好ましく、エタノールに可溶性のものが特に好ましい。ポリアミド樹脂は共重合体（共ポリアミド）、特に分子構造の大きなモノマーを組み入れることによって結晶性を弱めることができる。したがって、本発明では共ポリアミドを用いることが好ましい。好ましい共ポリアミドの例としては、ε−カプロラクタムとヘキサメチレンジアミンとアジピン酸とセバシン酸との共ポリアミド（６−ナイロン、６，６−ナイロン、６，１０−ナイロン共ポリアミド）、ε−カプロラクタムとヘキサメチレンジアミンとアジピン酸とセバシン酸とε−ラウロラクタムとω−アミノドデカン酸との共ポリアミド（６−ナイロン、６，６−ナイロン、６，１０−ナイロン、１２−ナイロン共ポリアミド）、ε−カプロラクタムとヘキサメチレンジアミンとアジピン酸とε−ラウロラクタムとω−アミノドデカン酸との共ポリアミド（６−ナイロン、６，６−ナイロン、１２−ナイロン共ポリアミド）等が挙げられる。
【００３６】
また、ポリアミド樹脂のアミド基の水素をメトキシメチル基で置換したＮ−メトキシメチル化ポリアミド樹脂も結晶性が弱められたポリアミド樹脂であり、本発明においては好ましく用いることができる。
【００３７】
ポリアミド樹脂の場合は、特に前記アクリル系ポリマー、酢酸ビニル系ポリマーと混合することにより基材への付着性を向上させることができる。また、ポリアクリル酸、ポリメタクリル酸等の配合により水溶性にすることもできる。水溶性のポリアミド樹脂は、千代田塗料工業株式会社製の水溶性ポリアミド樹脂を用いることもできる。
【００３８】
さらに、市販品としては、例えば、ＣＭ−８０００（東レ株式会社製の共ポリアミド；低融点型、６−ナイロン、１２−ナイロン、６，６−ナイロン、６，１０−ナイロンとを含有）、ＣＭ−４０００（東レ株式会社製の共ポリアミド；高融点型、６−ナイロン、６，６−ナイロン、６，１０−ナイロンとを含有）、ＥＦ−３０Ｔ（帝国化学産業株式会社製のＮ−メトキシメチル化ポリアミド樹脂）、Ｆ−３０Ｋ（帝国化学産業株式会社製のＮ−メトキシメチル化ポリアミド樹脂）が挙げられ、これらを用いることもできる。
【００３９】
本発明において任意に配合し得るその他のポリマーとしては、でんぷん、水溶性セルロース系ポリマー等の水溶性多糖類、ポリビニルアルコール、ポリビニルピロリドン等が挙げられる。このうち、水溶性セルロース系ポリマーの例としては、メチルセルロース、エチルセルロース、ヒドロキシエチルセルロース、ヒドロキシプロピルセルロース、カルボキシメチルセルロース、セルロースのメチル及びヒドロキシプロピルの混合エーテル（以下、ヒドロキシプロピルメチルセルロースともいう。以下混合エーテルは全てこの形で表す。）、ヒドロキシエチルメチルセルロース等のセルロースエーテルが挙げられる。
【００４０】
炭層が炭粉末及びポリマーを含有した組成物層である場合の炭層中の炭粉末及びポリマーの含有量については、ポリマーを炭粉末に対して５〜５０質量％の範囲で配合することが好ましい。
【００４１】
炭層には、必要に応じて、本発明の効果を損なわない範囲で上記した成分の他の成分を適宜配合することができる。適宜配合成分としては、例えば、粉末、顔料等が挙げられる。
【００４２】
粉末としては、例えば、シリカ、ケイ酸ナトリウム、酸化亜鉛、ベントナイト、アルミナ、酸化チタン、酸化マグネシウム、トルマリン等が挙げられる。
【００４３】
本発明における、炭層である、前記炭粉末及びポリマーを含有した組成物は、炭粉末、ポリマー並びに揮発性分散媒及び／又は揮発性溶媒を含有する塗料から、前記揮発性分散媒及び／又は揮発性溶媒が除去された炭粉末及びポリマー含有塗膜層であることが好ましい。
【００４４】
塗料から得られる塗膜層を炭層として用いる場合、前記塗料中には炭粉末が５〜５０質量％、ポリマーが０．５〜２５質量％含有されることが好ましい。
【００４５】
前記塗料において、水に不溶性のポリマーは前記ポリマーが水に分散された、いわゆるポリマーエマルジョンの形態で、また、エタノールに可溶性のものは、エタノールに溶解した形態で配合されることが好ましい。より具体的には、例えば、（Ａ）炭粉末、ポリマーエマルジョン（アクリル系ポリマーエマルジョン、酢酸ビニル系ポリマーエマルジョン等）、水を含有する炭塗料、（Ｂ）炭粉末、アルコール可溶性ポリアミド樹脂、エタノール、水を含有する炭塗料等である。
【００４６】
なお、ポリマーエマルジョンについては、上記のようなポリマーの水分散系を一般にポリマーエマルジョンと称しているので、本発明においても、ポリマーエマルジョンという用語を用いる。
【００４７】
本発明のポリマーエマルジョンは、市販品を用いることが可能であり、市販品の例としては、例えばアクリル系ポリマーエマルジョンである、ダイトゾール５０００ＡＤ、同５０００ＳＪ（以上、大東化成工業社製）、チヨダックＣ９９１０（千代田塗料工業株式会社製）等が挙げられる。
【００４８】
以下に、炭塗料の製造例を挙げる。
（製造例１）
以下の組成の炭塗料を、次のようにして製造した。Ａ容器に（１）、（１１）及び（１２）を混入して撹拌し、さらに（９）の一部を混入して撹拌し、静置した。Ｂ容器に（２）〜（４）及び（７）に残りの（９）を混入して、静置した。次いで、Ａ容器とＢ容器とを混ぜ、さらに（８）、（５）、（６）、（１０）の順に入れ、撹拌した。
【００４９】
成分                                          配合量（質量％）
（１）木炭粉末                                      １５．０
（白炭（ウバメガシ；備長炭）、粒子径；３４μｍ）
（２）アクリル系ポリマーエマルジョン（注１）          ３．０
（３）アクリル系ポリマーエマルジョン（注２）          ２．０
（４）酢酸ビニルポリマーエマルジョン（注３）          ２．０
（５）ヒドロキシプロピルメチルセルロース（注４）      ０．２
（６）メチルセルロース（注５）                        ０．１
（７）エタノール                                    ４９．７
（８）界面活性剤（注６）                              １．０
（９）水                                              残余
（１０）イソプロピルメチルフェノール                  ０．１
（１１）トルマリン                                    ０．５
（１２）シリカ                                        ０．１
【００５０】
（注１）ダイトゾール５０００ＡＤ（５０質量％ポリマー濃度）
（注２）ダイトゾール５０００ＳＪ（５０質量％ポリマー濃度）
（注３）４０質量％ポリマー濃度
（注４）メトローズ６０ＳＨ−１００００
（注５）メトローズＳＭ−８０００
（注６）イオネットＲＡＰ−４００
【００５１】
（製造例２）
以下の組成の炭塗料を、製造例１の方法に準じて製造した。
成分                                        配合量（質量％）
（１）木炭粉末                                      １３．０
（白炭（ウバメガシ；備長炭）、粒子径；２４μｍ）
（２）竹炭粉末                                        ２．０
（白炭（竹；備長炭）、粒子径；３７μｍ）
（３）アクリル系ポリマーエマルジョン（注１）          ５．０
（４）ヒドロキシプロピルメチルセルロース（注２）      ０．４
（５）ヒドロキシプロピルメチルセルロース（注３）      ０．５
（６）ヒドロキシプロピルメチルセルロース（注４）      ０．５
（７）エタノール                                    ６９．６
（８）界面活性剤（注５）                              １．０
（９）水                                              残余
（１０）イソプロピルメチルフェノール                  ０．２
（１１）酸化亜鉛                                      ０．５
（１２）多孔質シリカ                                  ３．０
【００５２】
（注１）ダイトゾール５０００ＡＤ（５０質量％ポリマー濃度）
（注２）メトローズ６０ＳＨ−１００００
（注３）メトローズ６５ＳＨ−１５０００
（注４）メトローズ９０ＳＨ−４０００
（注５）イオネットＲＡＰ−４００
【００５３】
（製造例３）
以下の組成の炭塗料を、製造例１の方法に準じて製造した。
成分                                        配合量（質量％）
（１）木炭粉末                                      ２７．０
（白炭（ウバメガシ；備長炭）、粒子径；２４μｍ）
（２）アクリル系ポリマーエマルジョン（注１）        １５．０
（３）トルマリン                                      ３．０
（４）ヒドロキシプロピルメチルセルロース（注２）      ４．０
（５）エタノール                                    ２０．０
（６）界面活性剤（注３）                              ２．０
（７）酸化チタン                                      ０．５
（８）水                                              残余
【００５４】
（注１）チヨダックＣ９９１０（４０質量％ポリマー濃度）
（注２）メトローズ６０ＳＨ−１００００
（注３）イオネットＲＡＰ−４００
【００５５】
（製造例４）
以下の組成の炭塗料を、ポリアミド樹脂等のポリマーを、混合溶剤に溶解させて、ポリマー溶液を調製した。次いで、この溶液に粉砕した木炭粉末を混合して製造した。
【００５６】
成分                                配合量（質量％）
（１）ポリアミド樹脂（注１）                    ２．０
（２）ポリアミド樹脂（注２）                    １．０
（３）ポリアクリル酸エチルエステル              ０．５
（４）ポリ酢酸ビニル                            ０．８
（５）エタノール                                残余
（６）ｎ−プロパノール                        ２１．０
（７）エチルセロソルブ                          ５．４
（８）ｉ−プロパノール                        １２．０
（９）木炭粉末                                ４０．０
（白炭（ウバメガシ；備長炭）、粒子径；３４μｍ）
（１０）木炭粉末                                ５．０
（黒炭（ナラ）、粒子径；３７μｍ）
【００５７】
（注１）ＣＭ−８０００
（注２）Ｆ３０Ｋ
【００５８】
前記炭層は、図１においては、発熱フィルムからなるヒート層面に塗布されているが、炭層をシートに付着し、シート状の炭層にして床用暖房装置に設置されても構わない。なお、前記シートへの付着の形態はシートに含浸されても、塗布されても構わない。
【００５９】
炭層の製造に当たっては、例えば炭粉末及びポリマーを含有した組成物を塗布などの手段でヒート層面やシートに付着させて製造される。例えば、シートの場合、不織布のようなシートに炭粉末及びポリマー含有塗料を塗布した後、乾燥して揮発成分を除去して得られる。不織布に炭塗料を塗布した後、第２の不織布を乗せて２枚のシートに塗膜がサンドウィッチされた形態でも構わない。シートとしては、前記不織布の他特に限定されない。
【００６０】
炭層は、例えば、ヒート層面に塗布される場合は付着されて使用されるが、シートに含浸または塗布したシート状の炭層を用いる場合は、該シートを床用暖房装置の所定の位置に挟み込まれて使用される。
【００６１】
なお、本発明には前記シート状の炭層からなる、床用暖房装置用炭層も含まれる。
【００６２】
前記炭層は少なくともヒート層の上面（人間が生活する側）に設けることが必要であるが、例えば、炭層をヒート層に塗布する場合は、ヒート層の上面に塗布し、また、炭シートを使用する場合は、少なくともヒート層の人間が生活する側に敷くことが必須である。
【００６３】
図１においては、炭層にアースが取られているが、炭層にアースをとることによって、人体に有害な低周波の電磁波、特に電界をより精度よく減衰・遮蔽することができるので、本発明においては、好ましくはアースをとって使用する。アースを取った結果、人体に有益な遠赤外線（生育光線）を出すことができる。アースの取り方については特に限定されない。
【００６４】
本発明の床用暖房装置は、床の下に設置され床を暖房する床用暖房装置として種々の方法で各種の建物の床暖房に利用することができる。利用の形態としては、図１に示した実施例以外に多く利用され、特に限定されることはない。したがって、前記床用暖房装置及びその上に敷いた床を設けた暖房床も本発明の一つである。前記床用暖房装置及び暖房床の床としては、人の生活環境の中での床であれば特に限定されるものではないが、例えば、フロアー、フローリング、カーペット、クッションフロアー、コルクタイル、石板、畳等が好ましい例として挙げられる、これらは本発明の効果を有効に発揮する。
【００６５】
以下に、暖房床の施工方法の例を挙げる。
（Ａ）暖房フロアー、暖房フローリング
（１）ヒート層（発熱フィルム）をコンパネにタッカー止めする。
（２）発熱フィルムの上に、アースをとった炭層を設け、その上から床暖房用フロアー、フローリングを取り付ける。
（３）床暖房用フロアー、フローリングの取付には、コンパネに釘止めする方法、コンパネに釘とボンド併用で止める方法、ボンドのみで止める方法等がある。
【００６６】
（Ｂ）暖房カーペット、暖房クッションフロア、暖房コルクタイル、暖房石板
（１）ヒート層（発熱フィルム）をコンパネ（ａ）にタッカー止めする。
（２）ヒート層（発熱フィルム）の上に、アースをとった炭層を設け、その上からコンパネ（ｂ）をコンパネ（ａ）にビス止めする。（ヒート層（発熱フィルム）、炭層を挟み込む）
（３）カーペットの取付は、コンパネ（ｂ）に、ボンド・グリッパー置敷とする。
（４）クッションフロア、コルクタイルの取付は、コンパネ（ｂ）にボンド止めする。
（５）石板の場合は、コンパネ（ｂ）の代わりにベニヤを使用する。
（６）なお、コンパネ（ｂ）とカーペット、クッションフロア、コルクタイル、石板の間に、アースをとった炭層を、前記ヒート層（発熱フィルム）とコンパネ（ｂ）の間に替えて設けることもでき、さらにヒート層（発熱フィルム）とコンパネ（ｂ）の間及びコンパネ（ｂ）とカーペット、クッションフロア、コルクタイル、石板の間に設けることもできる。
【００６７】
（Ｃ）暖房畳
（１）ヒート層（発熱フィルム）をコンパネにタッカー止めする。
（２）ヒート層（発熱フィルム）の上に、アースをとった炭層を設け、その上に、蓄熱板を置き、さらにその上に畳を置く。
（３）なお、蓄熱板と畳の間に、アースをとった炭層を、前記ヒート層（発熱フィルム）と蓄熱板の間の炭層に替えて設けることもでき、さらにヒート層（発熱フィルム）と蓄熱板の間及び蓄熱板と畳の間の両方に設けることもできる。
【００６８】
また、通常床暖房はひとつひとつの発熱体シートは小さく、それを広さに応じて数枚並べて結線している。例えば、６畳の場合には、９〜１２枚をつなぎ合わせる。そのため、並べた発熱体シートと発熱体シートの間は発熱しないため、アルミ箔を貼り付けたりして熱を伝導させている。本発明の場合、シート状炭層を用いれば、複数の発熱体シート全体をシート状炭層が覆うので、炭層の良好な熱伝導性により、それらに熱が伝導し、熱を均一化させることができる。
【００６９】
なお、図１における下地床張５としては、建物の底材として機能するものであれば特に制限がなく、一般に住居等の建物に従来から使用されているもので構わない。例えば、ベニア板、鉄板、ブリキ板、各種有機高分子の板などが例示される。
【００７０】
なおヒート層に裏板を設け、炭層とともに床用暖房装置用パネルとして下地床張５に設置できるようにしても構わない。このパネルタイプも本発明の床用暖房装置の一実施態様に含まれる。
【００７１】
なお、ホットカーペット本体をヒート層として用いて、該ヒート層を床の上に敷き、その上に前記炭粉末含有組成物を含浸または塗布したシートからなるシート状の炭層（炭シート）に、好ましくはアースをとって敷き、さらにホットカーペット専用カバーを覆い、暖房床とすることもできる。
【００７２】
本発明においては、床用暖房装置の発熱体から発生する人体に有害な低周波の電磁波、特に電界を減衰・遮蔽した暖房床が得られるので、人体に有益な遠赤外線、特に生育光線が得られ、人体にとって有用である。さらに、床用暖房装置やホットカーペット本体からでる電磁波、特に電界を浴び続けると人体や衣服に静電気を帯電する。本発明によれば、このような静電気の帯電を防ぐことができ、金属製のドアノブ等に触れても「パチッ」とくる放電現象が起こることがない。
【００７３】
【実施例】
以下、具体的な床用暖房装置及び暖房床の実施例を挙げて本発明を説明する。
【００７４】
表１に示した市販（Ａ社、Ｂ社）のホットカーペット及びＣ社、Ｄ社施工の床暖房を用いて、電磁波遮蔽能を測定した。なお、ホットカーペットについては、床（フロアー）に敷いたホットカーペット本体（ヒート層）とホットカーペット専用カバーの間に表中の炭層を挟み込んだものを用いた。また、床暖房については、ヒート層と床（フロアー）の間に表中の炭層を挟み込んだものを用いた。
【００７５】
測定は、電界については、低周波電界チェッカーＫＳＥ−２１０（神戸電波株式会社製）を、磁界については、トリフィールドメーター（米国Ｗ．Ｂ．Ｌｅｅ社製）を用いて測定した。結果を同じ表１に示した。
【００７６】
【表１】
2004176958.tif 000002
【００７７】
（注）製造例３の炭塗料を不織布シートに塗布し、溶媒を乾燥除去して得られたシート状炭層。
【００７８】
表１から、炭層を挟むことで、電界、磁界とも減衰することができることが分かる。さらに、炭層にアースをとることにより、電界を１００％カットすることができることが分かる。
【００７９】
以下、さらに具体的な床用暖房装置及び暖房床の実施例について説明する。
（実施例１）
下地床張上に設けたコンパネに、発熱体（ニッケル・クロム合金）及びそれを被覆する絶縁体（ブチルゴム）からなる発熱フィルムをタッカー止めし、この発熱フィルム面に製造例４で製造した炭塗料を塗布した後、乾燥して炭含有塗膜を形成させ、さらに、この塗膜にアースをとり、床用暖房装置を製造した。次いで、その上からフローリングをコンパネにボンドで止めることによって取り付けて、暖房フローリングを製造した。
【００８０】
（実施例２）
下地床張上に設けたコンパネに、発熱体（カーボン）及びそれを被覆する絶縁体（エチレン・プロピレン・ジエンゴム）からなる発熱フィルムをタッカー止めし、この上を、不織布に製造例１で製造した炭塗料を塗布した後、乾燥して得られる炭含有塗膜が付着された炭含有シートで覆い、さらに、このシートにアースをとり、床用暖房装置を製造した。次いで、その上からフローリングをコンパネにボンドで止めることによって取り付けて、暖房フローリングを製造した。
【００８１】
（実施例３）
下地床張上に設けたコンパネに、発熱体（カーボン）及びそれを被覆する絶縁体（エチレン・プロピレン・ジエンゴム）からなる発熱フィルムをタッカー止めし、この発熱フィルム面に製造例２で製造した炭塗料を塗布した後、乾燥して炭含有塗膜を形成させ、さらに、この塗膜にアースをとり、床用暖房装置を製造した。次いで、その上から他のコンパネを先のコンパネにビス止めし、発熱フィルムを２枚のコンパネで挟み込んだ。次いで、カーペットをコンパネにボンド・グリッパー置敷して取り付け、ホットカーペットを製造した。
【００８２】
（実施例４）
下地床張上に設けたコンパネに、発熱体（ニッケル・クロム合金）及びそれを被覆する絶縁体（ブチルゴム）からなる発熱フィルムをタッカー止めし、その上から他のコンパネを先のコンパネにビス止めし、発熱フィルムを２枚のコンパネで挟み込んだ。次いで、前記上部のコンパネの上に、不織布に製造例３で製造した炭塗料を塗布した後、さらに不織布乗せて乾燥して得られる炭含有塗膜がサンドウィッチ状に付着された炭含有シートを前記上部のコンパネにタッカー止めし、さらに、このシートにアースをとり、床用暖房装置を製造した。次いで、カーペットを前記上部のコンパネにボンド・グリッパー置敷して取り付け、ホットカーペットを製造した。
【００８３】
（実施例５）
下地床張上に設けたコンパネに、発熱体（カーボン）及びそれを被覆する絶縁体（エチレン・プロピレン・ジエンゴム）からなる発熱フィルムをタッカー止めし、この発熱フィルム面に製造例２で製造した炭塗料を塗布した後、乾燥して炭含有塗膜を形成させ、さらに、この塗膜にアースをとり、床用暖房装置を製造した。次いで、その上に、蓄熱板を置き、さらにその上に畳を置いて暖房畳を製造した。
【００８４】
（実施例６）
下地床張上に設けたコンパネに、発熱体（ニッケル・クロム合金）及びそれを被覆する絶縁体（ブチルゴム）からなる発熱フィルムをタッカー止めし、この上を、不織布に製造例１で製造した炭塗料を塗布した後、乾燥して得られる炭含有塗膜が付着された炭含有シートで覆い、さらに、このシートにアースをとり、を製造した。その上に、蓄熱板を置き、さらにその上に畳を置いて暖房畳を製造した。
【００８５】
（実施例７）
発熱体（ニッケル・クロム合金）及びそれを被覆する絶縁体（エチレン・プロピレン・ジエンゴム）からなる発熱フィルムを設けたホットカーペット本体内の発熱フィルム上部に、不織布に製造例４で製造した炭塗料を塗布した後、乾燥して得られる炭含有塗膜が付着された炭含有シートを覆い、さらに、このシートにアースをとり、床用暖房装置を製造した。次いで、その上からホットカーペット専用カバーを敷き、ホットカーペットを製造した。
【００８６】
【発明の効果】
以上、詳述したように本発明によれば、例えば、炭層、好ましくはアースをとった炭層を、電気式床暖房用発熱体とフロアー等の床の間や、ホットカーペットの上面に設ける例のように、発熱体を有するヒート層と、この層の上面に設けられた炭層とを有した床用暖房装置を暖房床に設置することにより、電気式床暖房用発熱体やホットカーペット等の発熱部分から発生する人体に有害な低周波の電磁波、特に電界が減衰・遮蔽され、さらに人体に有益な遠赤外線、特に生育光線、人体の健康と精神の安定をもたらすマイナスイオン等を供給することができる。したがって、人は安心して、電気式床暖房やホットカーペット等の上で、座り、寝ころがり、子供を寝かせる等の生活ができる。さらに、床用暖房装置やホットカーペット本体からでる電磁波、特に電界を浴び続けることによって起こった人体や衣服への静電気の帯電を防ぐことができ、金属製のドアノブ等に触れても「パチッ」とくる放電現象が起こることがない。
【図面の簡単な説明】
【図１】図１は本発明の床用暖房装置及びそれを設けた暖房床の一実施例の一部破断斜視図である。
【符号の説明】
１……ヒート層（発熱フィルム）
２……発熱体
３……絶縁体
４……炭層
５……下地床張
６……床（フロアー）
７……アース
【図１】
2004176958.tif 000003